(57)【要約】【課題】連結部分の連結姿勢の変化がないまたは変化が少なく、長さ調整機能を有し、引っ張り力により連結解除可能な平紐連結装置を提供する。【解決手段】平紐連結装置１は、平紐９の両端をループ状に連結してループ長さを調節可能である。平紐連結装置は、内部に貫通させた平紐が往復移動可能なスライド部材６と、平紐の端を固定可能な保持部材７と、を有する。スライド部材および保持部材の一方には外方に突出し突出端近傍が厚い舌部４２が、他方には舌部を収容可能な孔１２が設けられ、かつ、一方には平紐の幅方向となる方向の両端に案内突起１３を、他方には前記幅方向の両端に案内突起を着脱可能に嵌め入れる切り欠き４５を備える。平紐連結装置は、舌部が孔に入り込み、案内突起を切り欠きが嵌め入れて、スライド部材および保持部材が相手に対する姿勢を維持して連結されるように構成される。【選択図】図１
0003193840.tif 000002
【実用新案登録請求の範囲】
【請求項１】
平紐の両端をループ状に連結して連結したままループの大きさを調節可能な平紐連結装置であって、
前記平紐をその内部に貫通させ自在に前記平紐を往復移動させることができるスライド部材と、
前記平紐の端を固定可能な保持部材と、を有し、
前記スライド部材および前記保持部材は、
一方には外方に突出し突出端近傍が厚さを有する舌部が設けられ、他方には前記舌部を収容および抜き出し可能な孔が設けられ、
かつ、一方には前記平紐に組み合わされたときの前記平紐の幅方向の両端にそれぞれ案内突起を備え、他方には前記幅方向の両端に前記案内突起を着脱可能に嵌め入れる切り欠きを備えており、
前記舌部を前記孔に入り込ませ、前記案内突起を前記切り欠きに嵌め入れることにより、前記スライド部材および前記保持部材が相手に対する姿勢を維持して連結されるように構成された
ことを特徴とする平紐連結装置。
【請求項２】
前記スライド部材および前記保持部材は、前記切り欠きを備えるいずれか一方が、前記案内突起を前記切り欠きに嵌め入れるときに前記案内突起を案内する、前記幅方向の外方を向く案内面を有する
請求項１に記載の平紐連結装置。
【請求項３】
前記スライド部材は、
前記平紐を貫通させたときに、その内部で前記平紐を一旦前記平紐の厚さ方向に曲げた後に曲げた方向とは反対側の前記厚さ方向に前記平紐を曲げるように形成された
請求項１または請求項２に記載の平紐連結装置。
【請求項４】
前記保持部材は、
断面が幅方向に長い矩形であって一方の開口側の高さが内方に向かうに伴い低くなる平紐保持孔が貫通する第３部品と、
全体として板状であって前記平紐保持孔よりも幅が狭く、前記平紐保持孔に収容可能な第４部品と、で構成され、
前記第３部品は、他方の開口側に前記切り欠きを有し、
前記第４部品は、その表面から突出し先が尖った突起を複数有し、かつ前記一方の開口側から前記平紐保持孔に挿入したとき前記平紐保持孔の高さが不足することにより途中でその移動が制限されるように形成された
請求項１ないし請求項３のいずれか１項に記載の平紐連結装置。
【請求項５】
請求項１ないし請求項４のいずれか１項に記載の平紐連結装置が一対と、
平紐と、で形成され、
前記一対の平紐連結装置は、
それぞれの前記スライド部材を、前記平紐の一端側および他端側の互いに異なる一方が貫通しており、
それぞれの前記保持部材が、前記平紐の一端および他端の互いに異なる一方に一体化されていることによりストラップの長さが長さ調整可能な
ネックストラップ。
【考案の詳細な説明】
【技術分野】
【０００１】
本考案は、社員証、ＩＤカード等を保持するネックストラップ等に使用される、ストラップ（平紐）を輪になるように連結する平紐連結装置、および平紐連結装置を用いたネックストラップに関する。
【背景技術】
【０００２】
平紐（ストラップ）は、いわゆるネックストラップとして社員証、ＩＤカード等の保持に使用される。ネックストラップは、首に掛けられるように全体としてループ状に形成される。首に掛けられるネックストラップは、何らかの原因で平紐が引っ張られて首が圧迫される事故を防止するために、引っ張り力が加えられるとループ状の連結部分が分離する構造（平紐連結装置）が提案されている（特許文献１）。
【０００３】
また、引っ張り力によって離れる連結部分にストラップの長さ調整機能を追加したネックストラップ（平紐連結装置）も提案されている（特許文献２）。
【先行技術文献】
【特許文献】
【０００４】
【特許文献１】実用新案登録第３１４１８９０号公報
【特許文献２】実用新案登録第３１１０８２７号公報
【考案の概要】
【考案が解決しようとする課題】
【０００５】
特許文献２に提案されたネックストラップにおける平紐連結装置は、その一対の継手のいずれも、平紐の端を一体化する咬着部と平紐が自在に通過する輪部とで形成され、一対の継手の間隔を変化させることで長さ調整を行う。また、それぞれの継手は、咬着部と輪部とが分離可能に連結されており、ストラップが平紐連結装置の両側に引っ張られると、一対の継手は接近し、やがて分離する。
【０００６】
特許文献２に提案された平紐連結装置では、咬着部と輪部との連結が、「弾性的嵌合により回動自在」に行われる。したがって、ネックストラップの着用時、咬着部と輪部との連結姿勢は常時変化するので、連結部分の耐久性が低下し、分離を要しない引っ張り強度で咬着部と輪部とが分離するおそれがある。
本考案は、上述の問題に鑑みてなされたもので、連結部分の連結姿勢の変化がないまたは変化が少なく、長さ調整機能を有し、引っ張り力により連結解除可能な平紐連結装置を提供することを目的とする。
【課題を解決するための手段】
【０００７】
本考案に係る平紐連結装置は、平紐の両端をループ状に連結して連結したままループの大きさを調節可能である。
平紐連結装置は、紐をその内部に貫通させ自在に平紐を往復移動させることができるスライド部材と、平紐の端を固定可能な保持部材と、を有する。
スライド部材および保持部材は、一方には外方に突出し突出端近傍が厚さを有する舌部が設けられ、他方には舌部を収容および抜き出し可能な孔が設けられ、かつ、一方には平紐に組み合わされたときの平紐の幅方向の両端にそれぞれ案内突起を備え、他方には幅方向の両端に案内突起を着脱可能に嵌め入れる切り欠きを備える。
【０００８】
平紐連結装置は、舌部を孔に入り込ませ、案内突起を切り欠きに嵌め入れることにより、スライド部材および保持部材が相手に対する姿勢を維持して連結されるように構成されている。
好ましくは、スライド部材および保持部材は、切り欠きを備えるいずれか一方が、案内突起を切り欠きに嵌め入れるときに案内突起を案内する、幅方向の外方を向く案内面を有する。
【０００９】
好ましくは、スライド部材は、平紐を貫通させたときに、その内部で平紐を一旦平紐の厚さ方向に曲げた後に曲げた方向とは反対側の厚さ方向に平紐を曲げるように形成される。
好ましくは、保持部材は、断面が幅方向に長い矩形であって一方の開口側の高さが内方に向かうに伴い低くなる平紐保持孔が貫通する第３部品と、全体として板状であって平紐保持孔よりも幅が狭く、平紐保持孔に収容可能な第４部品と、で構成される。第３部品は、他方の開口側に切り欠きを有し、第４部品は、その表面から突出し先が尖った突起を複数有し、かつ一方の開口側から平紐保持孔に挿入したとき平紐保持孔の高さが不足することにより途中でその移動が制限されるように形成される。
【００１０】
本考案に係るネックストラップは、前述した平紐連結装置が一対と、平紐と、で形成されている。
一対の平紐連結装置は、それぞれのスライド部材を、平紐の一端側および他端側の互いに異なる一方が貫通しており、それぞれの保持部材が、平紐の一端および他端の互いに異なる一方に一体化されていることによりストラップの長さが長さ調整可能である。
【考案の効果】
【００１１】
本考案は、連結部分の連結姿勢の変化がないまたは変化が少なく、長さ調整機能を有し、引っ張り力により連結解除可能な平紐連結装置を提供することができる。
【図面の簡単な説明】
【００１２】
【図１】図１は平紐連結装置の概要を示す図である。
【図２】図２は第１部品の側面図である。
【図３】図３は第１部品の平面図等である。
【図４】図４は第１部品の正面図等である。
【図５】図５は第２部品の側面図である。
【図６】図６は第２部品の平面図等である。
【図７】図７は第２部品の正面図等である。
【図８】図８は第３部品の側面図である。
【図９】図９は第３部品の平面図等である。
【図１０】図１０は第３部品の正面図等である。
【図１１】図１１は第４部品の平面図である。
【図１２】図１２は第４部品５の正面図等である。
【図１３】図１３は第１部品および第２部品の組み立ての様子を示す図である。
【図１４】図１４は第３部品および第４部品の組み立ての様子を示す図である。
【図１５】図１５は平紐連結装置により平紐を長さ調整可能なループ状にする様子を示す図である。
【図１６】図１６はスライド部材と保持部材との嵌め合わせを示す部分断面平面図である。
【考案を実施するための形態】
【００１３】
図１は平紐連結装置１の概要を示す図、図２は第１部品２の側面図、図３は第１部品２の平面図等、図４は第１部品２の正面図等、図５は第２部品３の側面図、図６は第２部品３の平面図等、図７は第２部品３の正面図等、図８は第３部品４の側面図、図９は第３部品４の平面図等、図１０は第３部品４の正面図等、図１１は第４部品５の平面図、図１２は第４部品５の正面図等である。
【００１４】
なお、第１部品２、第２部品３および第３部品４は、いずれも面対称であるので、図３、図６、図９は、いずれも対称面の一方の側における平面図を右側に、裏面図を左側に示す。図４、図７は、左側が対称面の一方の側における正面を、右側が図２におけるＡ−Ａ矢視断面（図４）および図５におけるＢ−Ｂ矢視断面（図７）を示す。図１０は、左側が対称面の一方の側における正面を、右側が背面を示す。図１２における（ａ）は第４部品５の正面図、（ｂ）は図１１の右側面図である。
【００１５】
平紐連結装置１は、図１を参照して、ストラップをループ状に連結するために、一対が使用され、それぞれが、第１部品２、第２部品３、第３部品４および第４部品５で形成される。
第１部品２は、本体１１（以下「第１本体１１」という）、貫通孔１２および一対の案内突起１３，１３を備える
第１本体１１は、平面視が、台形について辺の長さの短い上底および２つの斜辺を外方に凸状に湾曲させた形状であり（図３参照）、上底側から下底側に徐々に厚さが増加する（図２参照）。第１本体１１は、一方の表面１４が略平らであり、他方の表面１５が台形の下底に平行な母線を有する円柱の表面のようにわずかに外方に凸状の湾曲面である。以下、略平らな一方の表面１４を「第１内面１４」という。
【００１６】
平面視における台形の両斜辺には、互いに平行な底部１６を有する切り欠き１７が設けられている。底部１６とは、厚さ方向に溝となった切り欠き１７の溝底をいう。切り欠き１７の両側面は平らであって底部１６と直交する。底部１６は、第１内面１４側に、平面視台形の高さ方向に帯状に延び外方に突出する係止部１８を備える。係止部１８は、湾曲し他方の表面側を向く係止面１９を有する。
【００１７】
以下、第１部品における切り欠き１７の溝底が延びた方向、すなわち図２における上下方向を「厚さ方向」といい、平面視台形の高さ方向、すなわち図３における上下方向を「連結方向」という。また、「厚さ方向」および「連結方向」のいずれにも直交する方向、すなわち図３，４における横方向を「幅方向」という。
第１部品２は、本体１１の平面視台形の下底側の端近傍において、第１内面１４からこの第１内面１４に略直交して、下底に沿って両斜辺を結ぶように下底側の端近傍の厚さと同程度に外方に突出する突出部２０を有する。突出部２０には、短辺に比べ長辺が極めて長い矩形断面の貫通孔１２が設けられている。矩形断面の長辺の一方に対応する貫通孔１２の内側面は、第１本体１１の第１内面１４でもある。この第１内面１４に対向する貫通孔１２の他の内側面は、幅方向に延びた母線を有して湾曲する。この内側面の湾曲する部分を「湾曲側面２１」という。湾曲側面２１は、側面視（図２）における断面形状が「Ｓ」字状であり、その一部（連結方向における切り欠き１７の反対側）は、貫通孔１２の内方に（第１内面１４側に）凸である。
【００１８】
突出部２０は、平面視における台形の下底の両端近傍が、他の部分に比べ一層外方に突出し、この両側の突出部分とこれよりも突出程度の小さな部分とで、正面視（図４の左半分）で切り欠き状の凹部２２を形成している。凹部２２の底は、第１本体１１の側面２３側から連結方向内方に向かうに伴い第１内面１４に近づく。凹部２２の底の一部は、幅方向に延びた母線を有して湾曲する。この湾曲する面を「凹部湾曲面２４」という。
【００１９】
案内突起１３は、第１本体１１の平面視おける台形の下底を形成する側面２３の幅方向両端近傍から、側面２３に略直交して連結方向の外方に突出する。案内突起１３は、幅方向に薄い板状であり、突出端に向かうほど厚さ（幅方向の寸法）および幅（厚さ方向の寸法）が小さくなっている。案内突起１３の突出端は、側面視（図２）において半円である。
【００２０】
符号２５は、肉盗みで生じた空洞部分である。
第２部品３は、本体３１（以下「第２本体３１」という）および一対の爪部３２，３２を有する。
第２本体３１は、第１本体１１と同様の、平面視が、台形について辺の長さの短い上底および２つの斜辺を外方に凸状に湾曲させた形状である（図６参照）。平面視台形における斜辺の湾曲の程度は小さい。台形の斜辺の湾曲の程度が小さいことは第１本体１１も同じである。
【００２１】
以下、図５における横方向を「連結方向」、図６，７における横方向を「幅方向」、および図５，７における上下方向を「厚さ方向」という。
第２本体３１は、厚さ方向の一方を向く表面３３が、幅方向に延びた母線を有する円柱の表面のような、わずかに外方に凸状の湾曲面である。
第２本体３１は、平面視の台形における上底（長さの短い方の底辺）側の端から連結方向の内方に向けて徐々に厚み（厚さ方向の寸法）が増加し、連結方向の略中間で急激に厚みが減少して、以後台形における下底まで略同じ厚さとなる。これに伴い、第２本体３１における厚さ方向の他方を向く表面３４（「第２内面３４」という）は、急激に厚みが減少する部分が、幅方向に延びた母線を有する円柱の表面のように外方に湾曲する。第２内面３４における外方に湾曲する部分を、「凸状湾曲面３５」という。第２内面３４は、凸
状湾曲面３５を除き、略平面である。
【００２２】
爪部３２は、連結方向の第２本体３１の略中央における幅方向の両側から、第２内面３４に直交して外方に突出する。爪部３２は、全体として幅方向をその厚さ方向とする、連結方向に幅広の板状である。爪部３２は、側面視において凸状湾曲面３５に重なる（図５参照）。爪部３２は、突出側に、段を経由して厚くなった爪３６を備える。爪３６を形成する段は、第２内面を向く平らな係合面３７を有する。
【００２３】
第３部品４について、図８における横方向および図９における上下方向を「連結方向」という。図８および図１０の上下方向を「厚さ方向」、図９および図１０の横方向を「幅方向」という。
第３部品４は、本体４１（以下「第３本体４１」という）および舌部４２を有する。
第３本体４１は、外観が、平面視（図９）において正方形に近い矩形で高さが低い箱形である。第３本体４１は、連結方向の一端から他端に徐々に厚くなっている。第３本体４１は、連結方向に貫通する平紐保持孔４３を有する。
【００２４】
平紐保持孔４３は、断面形状が、長辺が短辺に比べて大きな矩形である。平紐保持孔４３は、厚さが小さい連結方向の一端から内方の連結方向略中央まで断面形状、大きさが変化せず、以後連結方向の他端まで、断面の厚さ方向寸法が徐々に増加する。平紐保持孔４３は、平面視（図９）における断面形状が矩形である。平紐保持孔４３は、舌部４２とは反対側の開口近傍における幅方向両側に、舌部４２側を向く平らな当接面４７，４７を備える。
【００２５】
第３本体４１は、幅方向両側の壁（以下「側壁４４」という）の連結方向における厚さが厚い方の端にそれぞれ開口する切り欠き４５、４５を備える。切り欠き４５は、側面視（図８）において、奥に向かうほど狭くなり最深部分が半円である。切り欠き４５の側面視における形状および大きさは、第１部品２の案内突起１３の側面視（図２）に略等しい。切り欠き４５は、幅方向のいずれの部分においても同一の断面形状である。
【００２６】
舌部４２は、第３本体４１の切り欠き４５が設けられた側における厚さ方向の一方に偏った端から連結方向に突出する。舌部４２は、全体としては、幅方向および連結方向に拡がる板状で、平面視（図９）における形状は略台形である。舌部４２は、突出端近傍の両表面が、幅方向の母線を有する湾曲面であり、突出側でこれらの湾曲面が真っ直ぐな交線を形成して先端を形成する。舌部４２は、さらに突出端近傍の外方（切り欠き４５とは反対の側）を向く湾曲表面が、他の部分に比べて明確に外方に突出する。舌部４２における、表面が湾曲して外方に明確に突出する部分を、「連結部４６」という。
【００２７】
第４部品５について、図１１における、横方向、上下方向をそれぞれ「幅方向」および「連結方向」といい、これらに直交する方向を「厚さ方向」という。
第４部品５は、第４本体５１、６つの第１鋭突起５２，…，５２および２つの第２鋭突起５３，５３で形成される。
第４本体５１は、平面視（図１１）において連結方向がやや長い略矩形の板状部分である。第４本体５１は、矩形の四隅に、位置決め突起５４，５４，５５，５５が表面から同方向に突出する。位置決め突起５４，５４，５５，５５は、いずれもその厚さ方向を（第４本体５１の）幅方向とし、連結方向および突出方向に拡がる板状である。それぞれ幅方向に表面を対向させて並ぶ位置決め突起５４，５４の間隔および位置決め突起５５，５５の間隔は、平紐連結装置１に組み合わされる平紐の幅よりもわずかに大きい。
【００２８】
第４本体５１は、位置決め突起５４側の端の幅方向両側に、連結方向の外方を向く平らな被当接面５７，５７を備える。
連結方向の一方の側の位置決め突起５５，５５は、他方の側の位置決め突起５４，５４よりも突起の程度（高さ）が大きい。位置決め突起５５は、連結方向における長さが突出側に向かって徐々に小さくなるように位置決め突起５４側の側面が傾斜する。第４本体５１は、位置決め突起５５，５５間に、位置決め突起５５と略同じ高さに突出する紐端止め５６を備える。紐端止め５６の幅（連結方向の寸法）は、位置決め突起５５の傾斜する側面を除く連結方向の長さよりも小さい。
【００２９】
第１鋭突起５２は、位置決め突起５４，５５と同じ方向に突出する四角錐であり、その
頂点は、位置決め突起５５側に偏っている。第２鋭突起５３は、第１鋭突起５２と同じ方向に突出し、その形状は円錐である。第１鋭突起５２，…，５２は、互いに間隔を有して位置決め突起５４，５４側に偏って配されている。第２鋭突起５３，５３は、幅方向に並べて第１鋭突起５２，…，５２よりも位置決め突起５５，５５側に配されている。
【００３０】
次に、平紐連結装置１を使用した、長さ調整機能付きネックストラップの組み立てを説明する。
図１３は第１部品２および第２部品３による平紐９を任意に通過させる部材（以下「スライド部材６」という）の組み立ての様子を示す図、図１４は第３部品４および第４部品５による平紐９の端を固定する部材（以下「保持部材７」という）の組み立ての様子を示す図である。なお、図１３（ｂ）および（ｄ）は、図１３（ａ）のＣ−Ｃ矢視断面および（ｃ）のＣ−Ｃ矢視に相当する断面である。
【００３１】
図１３（ａ），（ｂ）を参照して、平紐９を第２部品３の爪部３２，３２の間に収め、第１部品２の凹部２２で平紐９を押さえながら、切り欠き１７，１７に爪部３２，３２を嵌め入れる。図１３（ｃ），（ｄ）を参照して、さらに爪３６，３６が第１部品２の係止部１８，１８を乗り越えるまで、爪部３２，３２を切り欠き１７，１７に押し進める。この作業により、爪３６，３６の係合面３７，３７が係止部１８，１８の係止面１９，１９に当接し、爪部３２，３２が切り欠き１７，１７から抜け出ることが阻止され、第１部品２および第２部品３が、平紐９を通過自在なスライド部材６に一体化される。
【００３２】
第１部品２の凹部２２は、スライド部材６において、その凹部湾曲面２４を除く表面と第２部品３の第２表面３４におけるこの表面に対向する部分３４１との距離が、平紐９の厚みと同じまたは厚みよりわずかに小さくなるように形成される。また、スライド部材６は、第２部品３が特異な形状の第２内面３４（特に凸状湾曲面３５に注目）を有することにより、内部で平紐９がＳ字状に折れ曲がる。スライド部材６は、その内部で平紐９を屈曲させ、および凹部２２表面と第２表面３４との距離を狭めることにより、平紐９の移動を節度あるもの（適度に制限）とする。
【００３３】
図１４を参照して、スライド部材６内に収められた平紐９は、案内突起１３側から飛び出した端近傍が、第３部品４および第４部品５による保持部材７に固定される。
固定作業では、初めに、舌部４２が突出する側の反対側から、平紐９が第３部品４の平紐保持孔４３に挿入され、舌部４２の側から引き出される。平紐保持孔４３から引き出された平紐９は、その端を位置決め突起５５側に位置させて、第４部品５の一対の位置決め突起５４および一対の位置決め突起５５それぞれの間に重ねられる。平紐９の端近傍は第４本体５１側に押しつけられて、第１鋭突起５２，５２，５２および第２鋭突起５３が平紐９の繊維間に入り込む（図１４（ａ））。
【００３４】
続いて、第４部品５を平紐９とともに位置決め突起５４側から第３部品４の平紐保持孔４３に挿入される（図１４（ｂ））。
第４部品５は、平紐保持孔４３内を奥に押し進められ、位置決め突起５５の高さと平紐保持孔４３の高さとが等しくなる場所で進入が停止する。ここでいう高さとは、厚さ方向にけるそれぞれの寸法である。平紐保持孔４３は、舌部４２側から内方に向けて徐々に高さが低くなっており、平紐９を舌部４２とは反対側から引き出すことにより、第４部品５は、適度な位置で進入を停止して平紐保持孔４３内に強固に一体化される（図１４（ｃ））。
【００３５】
なお、第３部品４の当接面４７は、平紐９が（舌部４２とは反対側に）強く引っ張られたとき、第４部品５の当接面５７に作用（当接）して第４部品５が抜け出るのを防止する。当接面４７および被当接面５７は、第４部品５の平紐保持孔４３への過度の進入を妨げる作用も有する。
平紐９は、第１鋭突起５２，５２，５２および第２鋭突起５３により強固に保持部材７に固定される。
【００３６】
平紐９を保持する保持部材７は、第３本体４の側壁４４の切り欠き４５から位置決め突起５５の一部が露出する（図１４（ｃ）の符号５５１）。
図１４の作業において、第４部品５の第３部品４に対する姿勢を、１８０度反転（上下
反転）させても同様の保持部材７を形成することができる。
上述した平紐９の一端側におけるスライド部材６および保持部材７の形成作業は、平紐９の他端側に対しても、別の第１部品２〜第４部品５を用いて行われる。
【００３７】
図１５は平紐連結装置１により平紐９を長さ調整可能なループ状にする様子を示す図、図１６はスライド部材６と保持部材７との嵌め合わせを示す部分断面平面図である。
平紐９の一端側に取り付けられた（貫通させた）スライド部材６の案内突起１３，１３に、平紐９の他端を保持する保持部材７を、舌部４２が平紐９側になるようにして近づける。スライド部材６の一対の案内突起１３，１３の互いに対向する面に、保持部材７における（側壁４４の）切り欠き４５から露出する幅方向両側のそれぞれの位置決め突起５５の一部５５１を沿わせて、保持部材７をスライド部材６に接近させる。切り欠き４５から露出する位置決め突起５５の一部５５１は、案内突起１３を案内することで、いずれも小さなスライド部材６および保持部材７の連結作業を容易にする。
【００３８】
また、この作業において同時に保持部材７の舌部４２をスライド部材６の貫通孔１２に挿入させ、さらに両部材を接近させて、保持部材７（第４本体５１）の端面をスライド部材６（第１本体１１）の側面２３に当接させる。この状態で、案内突起１３は切り欠き４５にぴったりと嵌り込み、スライド部材６および保持部材７の連結姿勢の変化を防止する。
【００３９】
他の一組のスライド部材６および保持部材７についても、同様にして連結される。
平紐連結装置１は、スライド部材６がその内部を貫通する平紐９を適度な抵抗の元で自在に往復させることができ、別の平紐連結装置１に接近させ、またはこれから遠ざけることにより、閉ループになったストラップの大きさ（ループ長さ）を自由に調節することができる。
【００４０】
平紐連結装置１は、案内突起１３が切り欠き４５にぴったりと嵌り込むことにより、スライド部材６と保持部材７との連結部分の連結姿勢の変化を無くし、または変化をわずかなものとする。
平紐連結装置１は、スライド部材６と保持部材７との連結において、舌部４２における外方に湾曲して突出する連結部４６が、貫通孔１２の湾曲側面２１における案内突起１３側の孔内に凸となった部分２１１を乗り越えて、凹状部分２１２に停止するように設計される。
【００４１】
平紐連結装置１は、舌部４２の連結部４６が貫通孔１２の凹状部分２１２から抜け出るのを凸となった部分２１１に阻まれることにより、通常の使用ではスライド部材６と保持部材７とが分離しない。
図１６（ｃ）を参照して、ストラップ（平紐９）に力が加わると、初めは平紐連結装置１，１が接近し、ループが大きく（長く）なる。ストラップに力が加わり続けると、ループの伸びしろが無くなり平紐連結装置１，１が衝突する。ストラップに加わる力が小さい場合、この状態が維持される。さらに、装着者の安全に無視できないほどの大きさの力がストラップに加わると、平紐連結装置１は、舌部４２が貫通孔１２から抜け出て、スライド部材６と保持部材７とが分離する。舌部４２が貫通孔１２から抜け出る時の力の強さは、舌部４２の連結部４６の凸面の突出の程度、および貫通孔１２の凸となった部分２１１の突出の程度で調節される。
【００４２】
ループが解除されたネックストラップは、平紐９の一端側のスライド部材６と他端側の保持部材７、および他端側のスライド部材６と一端側の保持部材７とを、上述したように連結することで、首掛け可能となる。
平紐連結装置１では、スライド部材６の案内突起１３が保持部材７の切り欠き４５にぴったりと嵌り込みスライド部材６と保持部材７との位置関係の変化がなく、変化しても極めてわずかである。このことから、スライド部材６と保持部材７とを引き離す大きな力が加わらない限り、舌部４２の連結部と貫通孔１２の湾曲側面２１との位置関係が変化せず、これらによる安定な連結が維持される。
【００４３】
平紐連結装置１において、案内突起１３の形状、および保持部材７における切り欠き４５の形状に他のもの、例えば側面視において矩形、三角形等を採用してもよい。スライド
部材６における貫通孔１２の湾曲側面２１の形状、およびこれに係止される保持部材７の舌部４２の連結部４６の断面形状は、湾曲面でなく段を有する他のものを用いてもよい、
スライド部材６における貫通孔１２に相当する、凸部分（２１１）を有する貫通孔または有底の孔を保持部材に設け、この孔に係止される保持部材７の舌部４２に相当する、外方に凸の連結部（４６）を、スライド部材に設けた平紐連結装置は、平紐連結装置１と同様の作用効果を奏する。
【００４４】
また、保持部材７に一対の案内突起１３，１３を設け、スライド部材６に案内突起１３を嵌め入れ可能な切り欠き４５を設けてもよい。
その他、平紐連結装置１、および平紐連結装置１の各構成または全体の構造、形状、寸法、個数、材質などは、本考案の趣旨に沿って適宜変更することができる。
【産業上の利用可能性】
【００４５】
本考案は、社員証、ＩＤカード等を保持するネックストラップ等に使用される、ストラップ（平紐）が輪になるように連結する平紐連結装置、および平紐連結装置を用いたネックストラップに利用することができる。
【符号の説明】
【００４６】
１  平紐連結装置
４  第３部品
５  第４部品
６  スライド部材
７  保持部材
９  平紐
１２  貫通孔(孔)
１３  案内突起
４２  舌部
４３  平紐保持孔
４５  切り欠き
５２  第１鋭突起（先が尖った突起）
５３  第２鋭突起（先が尖った突起）
５５１  切り欠きから露出する位置決め突起の一部（案内面）
【図１】
0003193840.tif 000003
【図２】
0003193840.tif 000004
【図３】
0003193840.tif 000005
【図４】
0003193840.tif 000006
【図５】
0003193840.tif 000007
【図６】
0003193840.tif 000008
【図７】
0003193840.tif 000009
【図８】
0003193840.tif 000010
【図９】
0003193840.tif 000011
【図１０】
0003193840.tif 000012
【図１１】
0003193840.tif 000013
【図１２】
0003193840.tif 000014
【図１４】
0003193840.tif 000015
【図１５】
0003193840.tif 000016
【図１３】
0003193840.tif 000017
【図１６】
0003193840.tif 000018